(57)【特許請求の範囲】
【請求項１】
外扉に画成した電照室内に設置してダミー商品を陳列する自動販売機のディスプレイ装置であり、照明灯を組み込んだディスプレイ台の前面に透光性の樹脂成形品で作られたダミー商品を取付けたものにおいて、上縁に突設したフック片と左右側壁に突設されたストッパとを有し、左右側壁の間に照明灯を組み込むと共に電照室の背板に固着された取付台と、上縁に前記フック片と係合する係合穴を有し、上部側に対して下部側の幅が広くなるよう形成された左右側壁に前記ストッパに対向する係合段部を有し、前面側にダミー商品が装着されたディスプレイ台とを設け、
前記ディスプレイ台の係合穴を取付台のフック片に嵌め込んでヒンジ結合すると共にディスプレイ台の前面に装着したダミー商品が斜め姿勢で配設されるようディスプレイ台の左右側壁の後縁を取付台に当接させ、かつ、ディスプレイ台の係合段部を取付台のストッパに係合させてディスプレイ台を取付台に取付け、
前記ヒンジ結合により取付台に対してディスプレイ台を前方へ開放可能としたことを特徴とする自動販売機のディスプレイ装置。
【請求項２】
請求項１記載の払出し商品検出装置において、ディスプレイ台の係合段部を取付台のストッパから外してディスプレイ台を開放させたとき、ディスプレイ台の左右側壁の後端をストッパに当接させることによりディスプレイ台を半開位置に保持することを特徴とする自動販売機のディスプレイ装置。
【発明の詳細な説明】
【０００１】
【発明の属する技術分野】
本発明は、缶商品の自動販売機に搭載したディスプレイ装置に関する。
【０００２】
【従来の技術】
周知のように頭記自動販売機では、キャビネットの前面外扉に電照室を画成し、ここに商品選択釦と１対１で対応するように各種販売商品のダミー商品を陳列したディスプレイ装置を備えている。
図４はかかる自動販売機の正面図であり、図において、１は前面外扉、２は電照室、３はディスプレイ装置、４は商品選択釦である。また、図５は前記ディスプレイ装置の従来の構成図であり、ディスプレイ装置４は透光性の半透明樹脂成形品として作られた半切ダミー缶５と、ダミー缶５を前面に斜め姿勢で装着した板金製になる箱型構造のディスプレイ台６と、ディスプレイ台６に組み込まれた照明灯（螢光灯）７からなり、ディスプレイ台６が電照室の背板８に固定されている。なお、ディスプレイ台６の下面は照明灯７を手入れするために開放されている。
【０００３】
かかる構成により、ディスプレイ台６の内部に組み込んだ照明灯７の光がダミー缶５を透過して前方へ明るく照らし出す。
【０００４】
【発明が解決しようとする課題】
ところで、前記構成のディスプレイ装置ではメンテナンス性の面で次記のような難点がある。
１）ディスプレイ台６に組み込んだ照明灯７を交換，清掃する場合に、僅かにディスプレイ台６の下面が開放したのみであって作業がやり難い。しかも、ディスプレイ台６の奥行寸法はキャビネットの前面外扉の厚さ寸法から制約され、大きくとることが出来ない。
【０００５】
２）ディスプレイ台６はその前面がダミー缶５で塞がれていて内方奥深くに手を差し入れることができないことから、照明灯７はディスプレイ台６の開放端面近く，つまりダミー缶５から外れた位置に設置せざるを得ず、そのためにダミー缶５を照度アップして効果的な照明を行うことが困難である。
本発明は上記の点にかんがみなされたものであり、前記課題を解決してメンテナンス性を高め，併せてダミー商品の効果的な照明が行えるよう構成した自動販売機のディスプレイ装置を提供することを目的とする。
【０００６】
【課題を解決するための手段】
上記目的を達成するために、本発明によれば、上縁に突設したフック片と左右側壁に突設されたストッパとを有し、左右側壁の間に照明灯を組み込むと共に電照室の背板に固着された取付台と、上縁に前記フック片と係合する係合穴を有し、上部側に対して下部側の幅が広くなるよう形成された左右側壁に前記ストッパに対向する係合段部を有し、前面側にダミー商品が装着されたディスプレイ台とを設け、前記ディスプレイ台の係合穴を取付台のフック片に嵌め込んでヒンジ結合すると共にディスプレイ台の前面に装着したダミー商品が斜め姿勢で配設されるようディスプレイ台の左右側壁の後縁を取付台に当接させ、かつ、ディスプレイ台の係合段部を取付台のストッパに係合させてディスプレイ台を取付台に取付け、前記ヒンジ結合により取付台に対してディスプレイ台を前方へ開放可能とするものとする（請求項１）。
【０００７】
また、ディスプレイ台の係合段部を取付台のストッパから外してディスプレイ台を開放させたとき、ディスプレイ台の左右側壁の後端をストッパに当接させることによりディスプレイ台を半開位置に保持するものとする（請求項２）。
【０００８】
上記の構成で、ダミー商品を装着したディスプレイ台は、常時は取付台に設けたストッパと係合して使用位置に係止保持しておく。一方、照明灯の交換，内部の清掃などを行う際には、前記ストッパとの係合を外した上でディスプレイ台を取付台から前方へ開放することにより、メンテナンス作業を楽に行うことができる。この場合に、ディスプレイ台を半開位置に係止保持しておくことにより、ディスプレイ台から手を離した状態でも照明灯の交換，手入れ作業が行える。
【０００９】
また、ディスプレイ台を開放することにより、取付台に組み込んだ照明灯には容易に手が届くので、照明灯をあらかじめダミー商品の真後ろの高さ位置に設置して照明の照度アップを図ることができる。
【００１０】
【発明の実施の形態】
以下、本発明の実施例を図面に基づいて説明する。なお、実施例の図中で図５に対応する同一部材には同じ符号が付してある。
図１〜図３において、ディスプレイ装置３は半切ダミー缶５と、ダミー缶５を前面に装着したディスプレイ台６と、ディスプレイ台６の上端とヒンジ結合した取付台９と、取付台９の内部に組み込んだ照明灯（螢光灯）７との組立体として構成されており、取付台９が電照室２（図４参照）の背板８にねじ止め固定されている。
【００１１】
ここで、ダミー缶５は１枚の樹脂ベース板５ａに複数個の半切ダミー缶が左右に並んで前方へ膨出するように一体成形されており、かつ樹脂ベース板５ａの上下両縁に設けた係合溝部５ｂを介してディスプレイ台６の額縁状周枠部へ嵌め込み式に装着されている。また、ディスプレイ台６の上縁二箇所には角穴６ａが開口しており、この角穴６ａを取付台９の上縁二箇所に突設したＣ字形のフック片９ａに嵌め込んで両者間をヒンジ結合するようにしている。さらに、取付台９の左右側壁にはストッパ９ｂが切り起こして設けてあり、このストッパ９ｂに対向してディスプレイ台６の左右側壁には係合段部６ｂが形成されている。なお、６ｃはディスプレイ台６の下縁に設けた把手である。
【００１２】
上記の構成のディスプレイ装置は次のようにして組立てる。まず、ダミー缶５をディスプレイ台６に装着するには、樹脂ベース板５ａを若干撓ませながらディスプレイ台の周枠部へ嵌め込む。なお、この装着状態でダミー缶５がディスプレイ台６から脱落するのを阻止（自動販売機をロケーション先に現地へ輸送する場合に振動，揺れなどで脱落するおそれがある）ために、ディスプレイ台６の裏面側には図３で示すように突起状の抜け止めストッパ６ｄが成形されている。次に、ディスプレイ台６の角穴６ａに取付台９のフック片９ａを差し込んで両者をヒンジ結合する。そして、取付台９を電照室の背板に固定し、この状態で照明灯７を取付ける。
【００１３】
上記の構成で、通常の使用状態ではディスプレイ台６を取付台９に対して図１の実線で表した位置（Ｉ）に重ね、この位置で係合段部６ｂをストッパ９ｂに係止しておく。この状態で照明灯７を点灯すれば、ダミー缶５が照明灯７の光で明るく照らし出される。一方、照明灯７の交換，清掃作業を行う場合には、ディスプレイ台６の把手６ｃに手を掛け、若干上方へ押し上げて係合段部６ｂをストッパ９ｂから外した後に、図１の鎖線（ＩＩ）で表す半開位置に開放する。この半開位置では、ディスプレイ台６から手を離しても、ディスプレイ台６の左右側壁の後縁が取付台９のストッパ９ｂに当たって係止保持される。これにより、照明灯７の手入れ作業を楽に行うことができる。さらに、ダミー缶５の裏面，あるいは取付台９の内面を清掃する場合には、ディスプレイ台６を図１の鎖線（ＩＩＩ）で表す全開位置まで開放する。
【００１４】
【発明の効果】
以上述べたように、本発明の構成によれば次記の効果を奏する。
１）ディスプレイ装置の内部清掃，および内部に組み込んだ照明灯の交換，清掃などのメンテナンス作業を行う場合に、ダミー商品を装着したディスプレイ台を前方へ開放することでメンテナンス作業が容易に行える。
【００１５】
２）照明灯を組み込んだ取付台に対しては、ディスプレイ台の開放により前方から容易に手を入れることができるので、従来のように照明灯の取付け位置が制約を受けることがなく、あらかじめダミー商品の真後ろの位置に照明灯を設置して照度アップを図るなどの効果的な照明が達成できる。
【図面の簡単な説明】
【図１】本発明の実施例によるディスプレイ装置の構成図
【図２】図１の組立構造を表す分解斜視図
【図３】図１におけるヒンジ結合部分の拡大断面図
【図４】本発明の実施対象となる自動販売機全体の正面図
【図５】従来におけるディスプレイ装置の組立構成図
【符号の説明】
２    電照室
３    ディスプレイ装置
５    ダミー缶
５ａ  樹脂ベース板
６    ディスプレイ台
６ａ  角穴
６ｂ  係合段部
６ｃ  把手
６ｄ  抜け止めストッパ
７    照明灯（螢光灯）
８    電照室の背板
９    取付台
９ａ  ヒンジ用フック片
９ｂ  ストッパ
【図１】
0003572736.tif 000002
【図２】
0003572736.tif 000003
【図３】
0003572736.tif 000004
【図４】
0003572736.tif 000005
【図５】
0003572736.tif 000006